(57)【特許請求の範囲】
【請求項１】
ルアー本体と、
該ルアー本体の下部に設けられた重錘体と、
該重錘体を、前記ルアー本体に対して前後方向に移動可能な形で保持する保持手段と
を具備し、該保持手段は、前後方向に配設されたボルト状の軸部材を有し、前記重錘体は、前記軸部材に螺合可能なナット状の取付部材を有することを特徴とするルアー。
【発明の詳細な説明】
【０００１】
【発明の属する技術分野】
本発明は、ルアーに関するものであり、特に、重錘体を有するルアーに関するものである。
【０００２】
【従来の技術】
従来より、一般に、魚を釣る際に用いられるルアーは、魚形状のルアー本体と、ルアー本体の内部に取付られた重錘体とを有している。この重錘体の重量及び取付けられた位置の相違によって、キャスティング（目標に向かってルアーを投げる動作）時のルアーの飛距離や、水中及び水面におけるルアーの動きや姿勢、特に、リトリーブ（ルアーを引いてくる動作）時のルアーの動きが異なってくる。
【０００３】
通常、使用者は、キャスティング時のルアーの飛距離や、リトリーブ時のルアーの動きを、ターゲットとなる魚や、その日の天候や、釣りを行う場所の地形などの条件に応じて、臨機応変に対応できるように、重錘体の重量や、重心の異なる複数種類のルアーを多数用意し、その中から最適なルアーを選択して釣りを行っている。
【０００４】
【発明が解決しようとする課題】
しかしながら、上記の従来技術では、複数種類のルアーを多数用意しなくてはならないため、買い揃えるのに多大な費用が掛かる上、釣りを行う際、持ち運びにも不便であった。さらに、キャスティング時のルアーの飛距離を変えたい時や、リトリーブ時のルアーの動きや姿勢を変えたい時などに、ライン（釣糸）に、ルアーを何度も結び直しながら、試行錯誤しなくてはならないため、手間がかかった。
【０００５】
そこで、本発明は上記の実情を鑑み、使用者が一つのルアーで、キャスティング時のルアーの飛距離と、リトリーブ時のルアーの動きや姿勢とを調節できるルアーの提供を課題とするものである。
【０００６】
【課題を解決するための手段】
本発明にかかるルアーは、ルアー本体と、該ルアー本体の下部に設けられた重錘体と、該重錘体を、前記ルアー本体に対して前後方向に移動可能な形で保持する保持手段とを備え、該保持手段は、前後方向に配設されたボルト状の軸部材を有し、前記重錘体は、前記軸部材に螺合可能なナット状の取付部材を有するものである。
【０００７】
したがって、本発明のルアーによれば、ルアー本体の下部に設けられた重錘体の保持位置を移動させると、ルアーの重心の位置が前後方向に変化する。重錘体を前方寄りに移動させた場合は、ルアーの重心は前方寄りとなり、リトリーブ時に、頭部を下げるような姿勢で動くようになる。又、重錘体を後方寄りに移動させた場合には、ルアーの重心は後方寄りとなり、リトリーブ時に、頭部を上げるような姿勢で動くようになる。
【００１１】
また、ボルト状の軸部材を有する保持手段に対して、ナット状の取付部材を有する重錘体が、ボルト及びナットの螺合によって前後方向に移動可能な形で保持され、保持手段に対する重錘体の保持位置を前後方向に無段階に調節できるようになり、ルアーの重心位置を前後方向に無段階に調節できる。
【００１４】
【発明の実施の形態】
以下、本発明の一実施形態であるルアーについて、図１乃至図４に基づき説明する。図１は本発明の一実施形態であるルアーの構成を示す側面図、図２は本発明の一実施形態であるルアーの構成を示すための（ａ）正面図、（ｂ）背面図、図３は本発明の一実施形態であるルアーの重錘体の構成を示す斜視図、図４は本発明の一実施形態であるルアーの動作を説明するための説明図である。本実施形態のルアー１は、図１に示すように、ルアー本体２と、ルアー本体２の下部に取付けられたボルト状の軸部材３と、軸部材３に保持されたナット状の重錘体４とを有している。
【００１５】
ルアー本体２は、バルサ材によって、外形が魚体に似るように形成されており、下腹部に、切欠部５が設けられている。又、前方には、水中での泳動姿勢を安定させるための平板状のリップ６が取付けられている。
【００１６】
軸部材３は、ルアー本体２の切欠部５に収納されるように、ルアー本体２の頭部を貫通し、前後方向に配設されており、ステンレス製で、ボルト状に形成されている。軸部材３の前端には、ルアー１にライン７を取付けるためのライン接続環８が取付けられている。又、軸部材３の後端には、ナット９が螺合されており、ナット９にキャップ１０が取付けられ、さらに、キャップ１０にフック接続環１１が回転可能に取付けられている。フック接続環１１にリング１２ａを介して、三本針を有するフック１３ａが取付けられている。又、軸部材３の前方寄りの位置に、環状部材１４が取付られており、環状部材１４にリング１２ｂを介して、三本針を有するフック１３ｂが取付けられている。ここで、軸部材３が本発明の保持手段に相当する。
【００１７】
重錘体４は、図３に示すように、ステンレス製で、中央にねじ孔１５が穿設されたナット状に形成されており、ボルト状の軸部材３に螺合されることで、ルアー１の下腹部に保持されている。重量と、外観とが互いに異なる複数の重錘体４が用意されており、軸部材３に対して、回転させることで、保持位置の調節と、着脱とが自由にできるようになっている。
【００１８】
次に、本実施形態のルアー１の使用方法について説明する。先ず、使用者はライン７をルアー１のライン接続環８に結びつける。そして、ターゲットとなる魚や、その日の天候や、釣りを行う場所の地形などの条件に応じて、キャスティング時のルアー１の飛距離や、リトリーブ時のルアー１の動きを決定し、それに基づいて、軸部材３に保持する重錘体４の総重量や、軸部材３における重錘体４の保持位置を決める。
【００１９】
ルアー１は、保持している重錘体４の総重量が重い程、キャスティング時の飛距離がより長く、又、着水後、水中での位置がより深くなる。
【００２０】
軸部材３において、重錘体４を手で回転させて、保持位置を変化させることで、ルアーの重心の位置が変化する。図４（ａ）に示すように、重錘体４を軸部材３の後方で保持した場合、重心が後方寄りとなり、リトリーブ時に、ルアー１は、尾部１６を下げて、頭部１７を左右に振るような動きをしながら移動する。又、図４（ｂ）に示すように、重錘体４を軸部材３の前方で保持した場合、重心が前方寄りとなり、リトリーブ時に、ルアー１は、頭部１７を下げて、尾部１６を左右に振るような動きをしながら移動する。
【００２１】
さらに、重錘体４は、配色が異なるものを複数種類用意し、軸部材３に保持することで、ルアー１の配色のバランスを変化させたり、軸部材３にプロペラ（図示しない）等を保持させることで、ルアー１の外観を変化させることもできる。
【００２２】
このように、上記実施形態のルアー１では、ルアー本体２の下部に設けられた重錘体４の保持位置を移動させると、ルアー１の重心の位置が前後方向に変化する。重錘体４を前方寄りに移動させた場合は、ルアー１の重心は前方寄りとなり、リトリーブ時に、頭部１７を下げるような姿勢で動くようになる。又、重錘体４を後方寄りに移動させた場合には、ルアー１の重心は後方寄りとなり、リトリーブ時に、頭部１７を上げるような姿勢で動くようになる。したがって、条件に応じて、リトリーブ時のルアー１の動きや姿勢を調節することができる。
【００２３】
また、上記実施形態のルアー１では、重量が互いに異なる複数の種類の重錘体４を備えることにより、任意の重量の重錘体４をルアー本体２に装着することが可能になる。例えば、比較的軽い重量の重錘体４を取付けた場合には、ルアー１の重量が軽くなるため、キャスティング時のルアー１の飛距離が短く、着水後のルアー１の水中での位置が浅くなるか、あるいは、水面に浮くことになる。又、比較的重い重量の重錘体４を取付けた場合には、ルアー１の重量が重くなるため、キャスティング時のルアー１の飛距離が長く、着水後のルアー１の位置が深くなる。したがって、条件に応じて、キャスティング時のルアー１の飛距離と、着水後のルアー１の深さを調節することができる。
【００２４】
上記実施形態のルアー１では、ボルト状の軸部材３に対して、ナット状の重錘体４が、ボルト及びナットの螺合によって、前後方向に移動可能な形で、着脱可能に保持される。このため、軸部材３に対する重錘体４の保持位置を前後方向に無段階にで調節できるようになり、ルアー１の重心位置を前後方向に無段階に調節できる。したがって、条件に応じて、リトリーブ時のルアー１の動きや姿勢を細かく調節することができる。
【００２５】
さらに、上記実施形態のルアー１では、重量の互いに異なる二つ以上の重錘体４の組合わせによって、ルアー１の重量と、ルアー１の重心位置を前後方向に無段階に調節できる。したがって、条件に応じて、キャスティング時のルアー１の飛距離と、着水後のルアー１の深さと、リトリーブ時のルアー１の動きや姿勢とを細かく調節することができる。
【００２６】
以上、本発明について好適な実施形態を挙げて説明したが、本発明はこの実施形態に限定されるものではなく、以下に示すように、本発明の要旨を逸脱しない範囲において、種々の改良及び設計の変更が可能である。
【００２７】
すなわち、上記実施形態のルアー１では、ルアー本体２を魚体に似るように形成したものを示したが、これに特に限定されるものではない。又、ルアー本体２にリップ６を取付けなくてもよい。
【００２８】
上記実施形態のルアー１では、ルアー本体２にバルサ材を用いるものを示したが、これに特に限定されるものではなく、例えば、合成樹脂等を用いてもよい。又、軸部材３及び重錘体４にステンレスを用いるものを示したが、これに特に限定されるものではなく、その他の金属等を用いてもよい。
【００２９】
上記実施形態のルアー１では、保持手段として、ボルト状の軸部材３を示したが、これに特に限定されるものではなく、重錘体４を前後方向に移動可能な形で、着脱可能に保持することができるものであればよい。
【００３０】
【発明の効果】
以上のように、本発明のルアーは、条件に応じて、リトリーブ時のルアーの動きや姿勢を調節することができる。また、条件に応じて、キャスティング時のルアーの飛距離と、着水後のルアーの深さとを調節することができる。また、条件に応じて、リトリーブ時のルアーの動きや姿勢を細かく調節することができる。さらに、条件に応じて、キャスティング時のルアーの飛距離と、着水後のルアーの深さと、リトリーブ時のルアーの動きや姿勢とを細かく調節することができる。
【図面の簡単な説明】
【図１】本発明の一実施形態であるルアーの構成を示す側面図である。
【図２】本発明の一実施形態であるルアーの構成を示す（ａ）正面図、（ｂ）背面図である。
【図３】本発明の一実施形態であるルアーの重錘体の構成を示す斜視図である。
【図４】本発明の一実施形態であるルアーの動作を説明するための説明図である。
【符号の説明】
１  ルアー
２  ルアー本体
３  軸部材（保持手段）
４  重錘体（取付部材）
【図１】
0003638539.tif 000002
【図２】
0003638539.tif 000003
【図３】
0003638539.tif 000004
【図４】
0003638539.tif 000005